(57)【要約】【課題】印刷用紙の変更に対して簡便且つ安価に対応し、印刷本機の印刷物の色を高精度に予測することが可能な印刷色予測装置等を提供する。【解決手段】  印刷色予測システム１００は、印刷色予測装置１と、印刷機２と、デバイス値（Ｃ２、Ｍ２、Ｙ２、Ｋ２）に基づいて生成されたカラーチャートデータを入力して受像フィルムにカラーチャートを出力するレーザー熱転写型プリンタ３と、出力した受像フィルムを複数の印刷用紙に熱転写してカラーチャート７ａ、７ｂ、７ｃ、７ｄを生成する専用ラミネーター５と、プルーフ９を出力するインクジェットプリンタ４と、によって構成される。印刷色予測装置１は、カラーチャート７ａ、７ｂ、７ｃ、７ｄを測色して得られた測色値と、カラーチャートデータを構成するデバイス値（Ｃ２、Ｍ２、Ｙ２、Ｋ２）とから印刷用紙ごとの第１プリンタプロファイルを生成する。【選択図】図４
2015154384.tif 000002
【特許請求の範囲】
【請求項１】
印刷機にて出力される印刷物の色を予測する印刷色予測装置であって、
前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色手段と、
前記第１の測色手段によって得られた測色値と、前記カラーチャートデータの各パッチを構成するデバイス値とによって、前記印刷用紙ごとに第１プリンタプロファイルを生成する第１プリンタプロファイル生成手段と、
インクジェットプリンタに前記カラーチャートデータを入力して、出力されたカラーチャートを測定して測色値を得る第２の測色手段と、
前記第２の測色手段によって得られた測色値と、前記カラーチャートデータの各パッチを構成するデバイス値とによって、第２プリンタプロファイルを生成する第２プリンタプロファイル生成手段と、
前記印刷機にて用いる前記印刷用紙の種類を受付ける印刷用紙選択受付手段と、
選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段と、
を備えることを特徴とする印刷色予測装置。
【請求項２】
前記印刷機にカラーチャートデータを入力して、基準紙に出力されたカラーチャートを測定して測色値を得る印刷色測色手段と、
前記印刷色測色手段によって得られた測色値と、前記カラーチャートデータの各パッチを構成するデバイス値とによって印刷色プロファイルを生成する印刷色プロファイル生成手段と、
前記基準紙の前記第１プリンタプロファイルと、前記印刷色プロファイルとによって、前記レーザー熱転写型プリンタにおいて前記印刷機の色を予測するために、前記レーザー熱転写型プリンタのデバイス値を変換する第１デバイス値変換手段と、
を更に備えることを特徴とする請求項１に記載の印刷色予測装置。
【請求項３】
前記インクジェットプリンタに入力する画像データのデバイス値を、前記第１デバイス値変換手段と前記第２デバイス値変換手段とに基づいて、前記印刷機にて出力される印刷物の色を前記インクジェットプリンタにて出力されるプリント物において再現するように変換する画像データ変換手段と、
を更に備えることを特徴とする請求項１または請求項２に記載の印刷色予測装置。
【請求項４】
前記印刷機の前記色基準が変更になった場合に、新しい前記色基準で色調調整された前記レーザー熱転写型プリンタにおいて基準紙におけるカラーチャートの測色値を取得し、従来の前記色基準で色調調整された前記レーザー熱転写型プリンタにおいて基準紙におけるカラーチャートの測色値との差分値を算出する差分算出手段と、
前記従来の色基準で色調調整された前記レーザー熱転写型プリンタの前記印刷用紙選択受付手段にて受付けた前記印刷用紙における第１プリンタプロファイルと前記差分値とに基づいて、前記新しい色基準の当該印刷用紙の第１プリンタプロファイルを生成する生成手段と、
を更に備えることを特徴とする請求項１〜請求項３の少なくともいずれか１項に記載の印刷色予測装置。
【請求項５】
印刷機にて出力される印刷物の色を予測する印刷色予測装置であって、
前記印刷機の色基準に基づいて予め色調調整された第１のプリンタの印刷用紙ごとの第１プリンタプロファイルと、第２のプリンタの第２プリンタプロファイルとを記憶する記憶手段と、
前記印刷機にて用いる前記印刷用紙の種類を受付ける印刷用紙選択受付手段と、
選択を受付けた前記印刷用紙の前記第１プリンタプロファイルと、前記第２プリンタプロファイルとによって色変換を行う手段と、
を備えることを特徴とする印刷色予測装置。
【請求項６】
前記印刷機のプロファイルと前記印刷用紙ごとの前記第１プリンタプロファイルによりデバイス値変換を行う手段、
を備えることを特徴とする請求項５に記載の印刷色予測装置。
【請求項７】
前記第２のプリンタは専用紙を用いることを特徴とする請求項５または請求項６に記載の印刷色予測装置。
【請求項８】
印刷機にて出力される印刷物の色を予測する印刷色予測装置で実行する印刷色予測方法であって、
前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色ステップと、
前記第１の測色手段によって得られた測色値と、前記カラーチャートデータの各パッチを構成するデバイス値とによって、前記印刷用紙ごとに第１プリンタプロファイルを生成する第１プリンタプロファイル生成ステップと、
インクジェットプリンタに前記カラーチャートデータを入力して、出力されたカラーチャートを測定して測色値を得る第２の測色ステップと、
前記第２の測色手段によって得られた測色値と、前記カラーチャートデータの各パッチを構成するデバイス値とによって、第２プリンタプロファイルを生成する第２プリンタプロファイル生成ステップと、
前記印刷機にて用いる前記印刷用紙の種類を受付ける印刷用紙選択受付ステップと、
選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換ステップと、
を含むことを特徴とする印刷色予測方法。
【請求項９】
コンピュータを、印刷機にて出力される印刷物の色を予測する印刷色予測装置として機能させるためのプログラムであって、
前記コンピュータを、
前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色手段、
前記第１の測色手段によって得られた測色値と、前記カラーチャートデータの各パッチを構成するデバイス値とによって、前記印刷用紙ごとに第１プリンタプロファイルを生成する第１プリンタプロファイル生成手段、
インクジェットプリンタに前記カラーチャートデータを入力して、出力されたカラーチャートを測定して測色値を得る第２の測色手段、
前記第２の測色手段によって得られた測色値と、前記カラーチャートデータの各パッチを構成するデバイス値とによって、第２プリンタプロファイルを生成する第２プリンタプロファイル生成手段、
前記印刷機にて用いる前記印刷用紙の種類を受付ける印刷用紙選択受付手段、
選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段、
として機能させるためのプログラム。
【請求項１０】
印刷色予測装置と、印刷機の色基準に基づいて予め色調調整されたレーザー熱転写型プリンタと、インクジェットプリンタと、によって構成され、前記印刷機にて出力される印刷物の色を予測する印刷色予測システムであって、
前記印刷色予測装置は、
前記レーザー熱転写型プリンタと前記インクジェットプリンタにカラーチャートデータを送信する送信手段と、
前記レーザー熱転写型プリンタによって出力された複数のカラーチャートを測定して測色値を得る第１の測色手段と、
前記第１の測色手段によって得られた測色値と、前記カラーチャートデータの各のパッチを構成するデバイス値とによって、前記印刷用紙ごとに第１プリンタプロファイルを生成する第１プリンタプロファイル生成手段と、
前記インクジェットプリンタによって出力されたカラーチャートを測定して測色値を得る第２の測色手段と、
前記第２の測色手段によって得られた測色値と、前記カラーチャートデータの各パッチを構成するデバイス値とによって、第２プリンタプロファイルを生成する第２プリンタプロファイル生成手段と、
前記印刷機にて用いる前記印刷用紙の種類を受付ける印刷用紙選択受付手段と、
選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段と、
を備え、
前記レーザー熱転写型プリンタは、
前記カラーチャートデータを受信する受信手段と、
前記カラーチャートデータを受像フィルムに出力して、複数種類の印刷用紙に熱転写して複数のカラーチャートを作成するカラーチャート作成手段と、
を備え、
前記インクジェットプリンタは、
前記カラーチャートデータを受信する受信手段と、
前記カラーチャートデータを出力してカラーチャートを作成するカラーチャート作成手段と、
を備えことを特徴とする印刷色予測システム。
【発明の詳細な説明】
【技術分野】
【０００１】
本発明は、印刷本機の印刷物の色をデジタル出力機にて予測するための印刷色予測装置等に関するものである。
【背景技術】
【０００２】
印刷本機で印刷を始める前に、校正紙を得意先の色調担当者に見せて、了承をもらうことが通例である。校正紙とは、最終製品となる本機印刷物（雑誌、カタログ等）の仕上がりをシミュレートしたものである。その後、印刷現場ではこの校正紙の色調に忠実に印刷し、その印刷物を得意先に提供する。これにより、印刷会社は得意先からの色調クレームを防ぐことができ、得意先は所望の色調で印刷物を入手できる。そのため校正紙には、本機印刷物の色を精度良く再現することが求められている。
【０００３】
校正紙の出力方法は、最終製品と同じ印刷機を使用する「本機校正」、簡易的な印刷機を使用する「平台校正」、ＤＤＣＰ（Direct Digital Color Proofing：デジタル出力機の総称）を使用する「デジタル校正」が主流である。
【０００４】
従来より、ＤＤＣＰにより印刷機の色調をシミュレートする場合、印刷機とＤＤＣＰとでそれぞれカラーチャートを作成して測色し、ＣＭＹＫ各インキの濃度と測色値との対応関係を表すＩＣＣ（International Color Consortium）プロファイルを求め、印刷本機のＩＣＣプロファイルをソースプロファイル（マッチング目標値）、ＤＤＣＰのＩＣＣプロファイルをデスティネーションプロファイル（ＤＤＣＰの測色値）として適用し、ＤＤＣＰで印刷本機の色調を再現するカラーマッチング方法が知られている。
【０００５】
特許文献１には、カラーマッチング後のカラーチャートをＤＤＣＰで出力して測色し、カラーチャート各色の測色値がそれぞれターゲット（目標値）の測色値とどの程度異なるかを実測誤差として算出し、その差分を元のターゲット値に加算し、マッチング誤差を吸収したターゲット値を作成し、新しいターゲット値に対してカラーマッチングするという手順を繰り返すことで、段階的にマッチング精度を追い込むというカラーマッチング手法が開示されている。
【先行技術文献】
【特許文献】
【０００６】
【特許文献１】特開２０１２−２３６２７号公報
【発明の概要】
【発明が解決しようとする課題】
【０００７】
しかしながら、上述の特許文献１では、印刷条件（色基準や印刷用紙等）が変更された場合に、変更前のターゲット値から変更後のターゲット値を予測することができないため、印刷条件が変更されるたびに、印刷本機による印刷、測色、プロファイル作成といった作業が発生し、作業負荷が大きい。
【０００８】
ここで、印刷条件の１つである印刷用紙には多種多様な斤量（薄紙、ザラ紙、厚紙など）、表面加工（マット、コート、グロス）があり、用紙銘柄は数百種類を超える。その全用紙銘柄で本機印刷を実施することは作業負荷が大きく、現実的ではない。そのため、通常は紙種を「マット紙、コート紙、上質紙」のようにグルーピングし、数種類のソースプロファイルを作成する。このソースプロファイルに対してＤＤＣＰでカラーマッチングして校正紙を出力すると、本機印刷物と大まかな色は合う。しかしながら、グルーピングしたことに起因して、ソースファイル作成元の印刷用紙と違う印刷用紙を用いると、ＤＤＣＰによる校正紙と本機印刷物とでは細部の色が異なる。特に印刷用紙の地色違いを考慮しないため、ハイライト部（白地近傍）での色調差が目立ちやすい。
【０００９】
本発明は、前述した問題点に鑑みてなされたものであり、その目的とすることは、印刷用紙の変更に対して簡便且つ安価に対応し、印刷本機の印刷物の色を高精度に予測することが可能な印刷色予測装置等を提供することである。
【課題を解決するための手段】
【００１０】
第１の発明は、印刷機にて出力される印刷物の色を予測する印刷色予測装置であって、前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色手段と、前記第１の測色手段によって得られた測色値と、前記カラーチャートデータの各パッチを構成するデバイス値とによって、前記印刷用紙ごとに第１プリンタプロファイルを生成する第１プリンタプロファイル生成手段と、インクジェットプリンタに前記カラーチャートデータを入力して、出力されたカラーチャートを測定して測色値を得る第２の測色手段と、前記第２の測色手段によって得られた測色値と、前記カラーチャートデータの各パッチを構成するデバイス値とによって、第２プリンタプロファイルを生成する第２プリンタプロファイル生成手段と、前記印刷機にて用いる前記印刷用紙の種類を受付ける印刷用紙選択受付手段と、選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段と、を備えることを特徴とする印刷色予測装置である。
第１の発明の印刷色予測装置によれば、網点再現が可能でプリント物の画質が本機印刷物に近いレーザー熱転写型プリンタを印刷本機に見立て、レーザー熱転写型プリンタにて出力された受像フィルムを複数種類の印刷用紙に熱転写することで、印刷機で用いる印刷用紙が変更になった場合のマッチング目標値を取得し、更に安価なインクジェットプリンタにて印刷本機の色調を再現することができる。これにより、印刷機で用いる印刷用紙の変更に対しても、本機印刷を実施する手間が省け、短時間且つ安価に本機印刷物の色調を再現することができる。
【００１１】
また、前記印刷色予測装置は、前記印刷機にカラーチャートデータを入力して、基準紙に出力されたカラーチャートを測定して測色値を得る印刷色測色手段と、前記印刷色測色手段によって得られた測色値と、前記カラーチャートデータの各パッチを構成するデバイス値とによって印刷色プロファイルを生成する印刷色プロファイル生成手段と、前記基準紙の前記第１プリンタプロファイルと、前記印刷色プロファイルとによって、前記レーザー熱転写型プリンタにおいて前記印刷機の色を予測するために、前記レーザー熱転写型プリンタのデバイス値を変換する第１デバイス値変換手段と、を更に備えることが望ましい。
これにより、プルーフ（校正紙）を出力するインクジェットプリンタのデバイス値を２段階（印刷機のデバイス値→レーザー熱転写型プリンタのデバイス値→インクジェットプリンタのデバイス値）で変換することとなり、更に高精度に本機印刷物の色調を再現することができる。
【００１２】
前記印刷色予測装置は、前記インクジェットプリンタに入力する画像データのデバイス値を、前記第１デバイス値変換手段と前記第２デバイス値変換手段とに基づいて、前記印刷機にて出力される印刷物の色を前記インクジェットプリンタにて出力されるプリント物において再現するように変換する画像データ変換手段と、を更に備えることが望ましい。
これにより、印刷機にて出力される印刷物の色調をインクジェットプリンタにて再現し、高品質なプルーフを作成することができる。
【００１３】
前記印刷色予測装置は、前記印刷機の前記色基準が変更になった場合に、新しい前記色基準で色調調整された前記レーザー熱転写型プリンタにおいて基準紙におけるカラーチャートの測色値を取得し、従来の前記色基準で色調調整された前記レーザー熱転写型プリンタにおいて基準紙におけるカラーチャートの測色値との差分値を算出する差分算出手段と、前記従来の色基準で色調調整された前記レーザー熱転写型プリンタの前記印刷用紙選択受付手段にて受付けた前記印刷用紙における第１プリンタプロファイルと前記差分値とに基づいて、前記新しい色基準の当該印刷用紙の第１プリンタプロファイルを生成する生成手段と、を更に備えることが望ましい。
これにより、印刷機の色基準が変更になった場合に、新しい色基準で複数の印刷用紙に印刷する必要は無く、新しい色基準に色調調整されたレーザー熱転写型プリンタにて基準紙の第1プリンタプロファイルを取得すれば、従来の色基準にて生成された第１プリンタプロファイルに基づいて、新しい色基準で印刷用紙が変更になった場合のマッチング目標値を取得することができる。
【００１４】
第２の発明は、印刷機にて出力される印刷物の色を予測する印刷色予測装置であって、前記印刷機の色基準に基づいて予め色調調整された第１のプリンタの印刷用紙ごとの第１プリンタプロファイルと、第２のプリンタの第２プリンタプロファイルとを記憶する記憶手段と、前記印刷機にて用いる前記印刷用紙の種類を受付ける印刷用紙選択受付手段と、選択を受付けた前記印刷用紙の前記第１プリンタプロファイルと、前記第２プリンタプロファイルとによって色変換を行う手段と、を備えることを特徴とする印刷色予測装置である。
第２の発明の印刷色予測装置によれば、第１のプリンタを印刷本機に見立て、印刷用紙ごとの第１のプリンタの第1プリンタプロファイルと、第２のプリンタの第２プリンタプロファイルを用いてデバイス値変換を行うことによって、安価な第２プリンタの専用紙で印刷機の色を再現することができ、印刷機で使用する用紙を使用しなくても良い。また、用紙の種類毎に第１のプリンタプロファイルを作成しておけば、オフセット印刷機、グラビア印刷機等の印刷機で用紙の種類毎にプリンタプロファイルを作成する必要がない。
【００１５】
第３の発明は、印刷機にて出力される印刷物の色を予測する印刷色予測装置で実行される印刷色予測方法であって、前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色ステップと、前記第１の測色手段によって得られた測色値と、前記カラーチャートデータの各パッチを構成するデバイス値とによって、前記印刷用紙ごとに第１プリンタプロファイルを生成する第１プリンタプロファイル生成ステップと、インクジェットプリンタに前記カラーチャートデータを入力して、出力されたカラーチャートを測定して測色値を得る第２の測色ステップと、前記第２の測色手段によって得られた測色値と、前記カラーチャートデータの各パッチを構成するデバイス値とによって、第２プリンタプロファイルを生成する第２プリンタプロファイル生成ステップと、前記印刷機にて用いる前記印刷用紙の種類を受付ける印刷用紙選択受付ステップと、選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換ステップと、を含むことを特徴とする印刷色予測方法である。
第３の発明の印刷色予測方法によれば、網点再現が可能でプリント物の画質が本機印刷物に近いレーザー熱転写型プリンタを印刷本機に見立て、レーザー熱転写型プリンタにて出力された受像フィルムを複数種類の印刷用紙に熱転写することで、印刷機で用いる印刷用紙が変更になった場合のマッチング目標値を取得し、更に安価なインクジェットプリンタにて印刷本機の色調を再現することができる。これにより、印刷機で用いる印刷用紙の変更に対しても、本機印刷を実施する手間が省け、短時間且つ安価に本機印刷物の色調を再現することができる。
【００１６】
第４の発明は、コンピュータを、印刷機にて出力される印刷物の色を予測する印刷色予測装置として機能させるためのプログラムであって、前記コンピュータを、前記印刷機の色基準に基づいて予め色調調整されたレーザー熱転写型プリンタにカラーチャートデータを入力して得られた受像フィルムを、複数種類の印刷用紙に熱転写して作成された複数のカラーチャートを測定して測色値を得る第１の測色手段、前記第１の測色手段によって得られた測色値と、前記カラーチャートデータの各のパッチを構成するデバイス値とによって、前記印刷用紙ごとに第１プリンタプロファイルを生成する第１プリンタプロファイル生成手段、インクジェットプリンタに前記カラーチャートデータを入力して、出力されたカラーチャートを測定して測色値を得る第２の測色手段、前記第２の測色手段によって得られた測色値と、前記カラーチャートデータの各パッチを構成するデバイス値とによって、第２プリンタプロファイルを生成する第２プリンタプロファイル生成手段、前記印刷機にて用いる前記印刷用紙の種類を受付ける印刷用紙選択受付手段、選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段、として機能させるためのプログラムである。
第４の発明のプログラムによれば、網点再現が可能でプリント物の画質が本機印刷物に近いレーザー熱転写型プリンタを印刷本機に見立て、レーザー熱転写型プリンタにて出力された受像フィルムを複数種類の印刷用紙に熱転写することで、印刷機で用いる印刷用紙が変更になった場合のマッチング目標値を取得し、更に安価なインクジェットプリンタにて印刷本機の色調を再現することができる。これにより、印刷機で用いる印刷用紙の変更に対しても、本機印刷を実施する手間が省け、短時間且つ安価に本機印刷物の色調を再現することができる。
【００１７】
第５の発明は、印刷色予測装置と、印刷機の色基準に基づいて予め色調調整されたレーザー熱転写型プリンタと、インクジェットプリンタと、によって構成され、前記印刷機にて出力される印刷物の色を予測する印刷色予測システムであって、前記印刷色予測装置は、前記レーザー熱転写型プリンタと前記インクジェットプリンタにカラーチャートデータを送信する送信手段と、前記レーザー熱転写型プリンタによって出力された複数のカラーチャートを測定して測色値を得る第１の測色手段と、前記第１の測色手段によって得られた測色値と、前記カラーチャートデータの各パッチを構成するデバイス値とによって、前記印刷用紙ごとに第１プリンタプロファイルを生成する第１プリンタプロファイル生成手段と、前記インクジェットプリンタによって出力されたカラーチャートを測定して測色値を得る第２の測色手段と、前記第２の測色手段によって得られた測色値と、前記カラーチャートデータの各パッチを構成するデバイス値とによって、第２プリンタプロファイルを生成する第２プリンタプロファイル生成手段と、前記印刷機にて用いる前記印刷用紙の種類を受付ける印刷用紙選択受付手段と、選択を受付けた前記印刷用紙の前記第１プリンタプロファイルと、前記第２プリンタプロファイルとによって、前記インクジェットプリンタにおいて前記レーザー熱転写型プリンタの色を予測するために、前記インクジェットプリンタのデバイス値を変換する第２デバイス値変換手段と、を備え、前記レーザー熱転写型プリンタは、前記カラーチャートデータを受信する受信手段と、前記カラーチャートデータを受像フィルムに出力して、複数種類の印刷用紙に熱転写して複数のカラーチャートを作成するカラーチャート作成手段と、を備え、前記インクジェットプリンタは、前記カラーチャートデータを受信する受信手段と、前記カラーチャートデータを出力してカラーチャートを作成するカラーチャート作成手段と、を備えことを特徴とする印刷色予測システムである。
第５の発明の印刷色予測システムによれば、網点再現が可能でプリント物の画質が本機印刷物に近いレーザー熱転写型プリンタを印刷本機に見立て、レーザー熱転写型プリンタにて出力された受像フィルムを複数種類の印刷用紙に熱転写することで、印刷機で用いる印刷用紙が変更になった場合のマッチング目標値を取得し、更に安価なインクジェットプリンタにて印刷本機の色調を再現することができる。これにより、印刷機で用いる印刷用紙の変更に対しても、本機印刷を実施する手間が省け、短時間且つ安価に本機印刷物の色調を再現することができる。
【発明の効果】
【００１８】
本発明によれば、印刷用紙の変更に対して簡便且つ安価に対応し、印刷本機の印刷物の色を高精度に予測することが可能な印刷色予測装置等を提供することができる。
【図面の簡単な説明】
【００１９】
【図１】本実施形態に係る印刷色予測システムの概略構成例を示す模式図
【図２】本実施形態に係る印刷色予測装置のハードウエアの構成例を示す図
【図３】印刷機とレーザー熱転写型プリンタのプロファイル作成処理の一例を示すフローチャート
【図４】第１プリンタプロファイル作成処理及び第２プリンタプロファイル作成処理におけるデータの流れを説明する図
【図５】第１プリンタプロファイル作成処理の一例を示すフローチャート
【図６】第２プリンタプロファイル作成処理の一例を示すフローチャート
【図７】プルーフ出力処理の一例を示すフローチャート
【図８】色基準変更時のプルーフ出力処理の一例を示すフローチャート
【発明を実施するための形態】
【００２０】
以下、図面に基づいて、本発明の好適な実施形態を詳細に説明する。
【００２１】
＜印刷色予測システム＞
まず、図１に基づいて、本実施形態に係る印刷色予測システム１００について説明する。
【００２２】
図１に示すように印刷色予測システム１００は、印刷色予測装置１と、印刷色予測装置１のカラーデータ生成部１１によって生成されたカラーチャートデータを入力して任意の印刷用紙にカラーチャート６を出力する印刷機２と、カラーチャートデータを入力して受像フィルムにカラーチャートを出力するレーザー熱転写型プリンタ３と、出力した受像フィルムを任意の印刷用紙に熱転写してカラーチャート７を形成する専用のラミネーター５と、カラーチャート８及びプルーフ９を出力するインクジェットプリンタ４と、によって構成される。尚、図１に示す矢印は、印刷機２とレーザー熱転写型プリンタ３のプロファイル作成処理（図３参照）におけるデータの流れを表す。
【００２３】
印刷色予測装置１は、カラーデータ生成部１１と、測色部１２と、プロファイル生成部１３とによって構成される。
カラーチャートデータ生成部１１は、デバイス値（Ｃ１、Ｍ１、Ｙ１、Ｋ１）に基づいてカラーチャートデータを生成する。
測色部１２は、カラーチャート６、７、８の測色値を取得する。
プロファイル生成部１３は、デバイス値（Ｃ１、Ｍ１、Ｙ１、Ｋ１）と、印刷機２を用いて作成されたカラーチャート６の測色値（Ｌ*、ａ*、ｂ*）とに基づいて、印刷色プロファイルを生成する。また、プロファイル生成部１３は、デバイス値（Ｃ１、Ｍ１、Ｙ１、Ｋ１）とレーザー熱転写型プリンタ３を用いて作成されたカラーチャート７の測色値（Ｌ*１、ａ*１、ｂ*１）とに基づいて、第１プリンタプロファイルを生成する。
【００２４】
印刷色プロファイルとは、デバイス値（例えば、ＣＭＹＫカラーデータ）を入力した場合に実際に印刷機２によって出力される印刷物の色を絶対的な色空間（例えば、Ｌａｂ色空間、ＸＹＺ色空間）において予測するための変換テーブル（ルックアップテーブル）を記述したデータファイルであり、双方向（例えば、（Ｃ、Ｍ、Ｙ、Ｋ）→（Ｌ*、ａ*、ｂ*）、及び（Ｌ*、ａ*、ｂ*）→（Ｃ、Ｍ、Ｙ、Ｋ））のテーブルを保持する。第１プリンタプロファイルとは、レーザー熱転写型プリンタ３とラミネーター５とによって形成されるプリント物の色を予測するための変換テーブルを記述したデータファイルである。
【００２５】
カラーデータ生成部１１は、印刷色プロファイル及び第１プリンタプロファイルを用いて、印刷機２に入力されたデバイス値（Ｃ１、Ｍ１、Ｙ１、Ｋ１）をレーザー熱転写型プリンタ３において色予測するためのデバイス値（Ｃ２、Ｍ２、Ｙ２、Ｋ２）に変換するための色変換機能も有する。
【００２６】
印刷機２とは、オフセット印刷機、グラビア印刷機等であり、予め任意の色基準（例えば、ISO準拠 ジャパンカラー枚葉印刷用2011）のＩＣＣプロファイルによって色調調整されているものとする。
【００２７】
レーザー熱転写型プリンタ３は、本機印刷物と網点再現、色調、風合等が近似するプリント物を出力できるものであり、カラーデシジョン（製品名、コニカミノルタ製）等が好ましく用いられる。
【００２８】
レーザー熱転写型プリンタ３及びラミネーター５によるプリント物は以下の手順で形成される。レーザー熱転写型プリンタ３の露光装置内のドラム上で支持体上に受像層を設けた受像フィルムと、光熱変換層と熱溶融性インク層を積層した転写フィルムとを重ね合わせ、画像データに対応した解像度のレーザー走査露光により受像フィルム上に熱溶融インク画像を形成する。転写フィルムのみを交換して各色の露光を連続して行い、フルカラー画像が形成された受像フィルムを出力する。受像フィルム上に形成したフルカラー画像は、専用のラミネーター５を用いて印刷用紙上に薄膜の受像層と共に熱転写され、最終的なプリント物が形成される。
【００２９】
インクジェットプリンタ４とは、生産性が高く出力コストが安価なＤＤＣＰであれば特に限定することは無く、電子写真方式プリンタ等であってもよい。インクジェットプリンタ４は印刷色予測装置１のカラーデータ生成部１１からデータを受信してカラーチャート８を出力し、後述するプルーフ出力処理によってプルーフ（校正紙）９を出力する。
【００３０】
カラーチャート６、７、８とは、デバイス値の各成分の掛け合わせからなるカラーパッチの配列で構成されたカラーチャートデータを印刷用紙等の紙媒体に印刷した物であり、個々のカラーパッチを測定部１２（図２の測色計２８）で測定する。
【００３１】
印刷用紙とは、用途に応じてアート紙、コート紙、マットコート紙、上質紙等、様々な種類があり、白色度や表面平滑性、インキの受理性、網点再現性、光沢度等が異なる。そのため印刷機２に用いられる印刷用紙の種類を変更することで、印刷物の色調が大きく異なる場合がある。本発明では、印刷本機による印刷を実行することなく印刷用紙の種類が変更になった場合の印刷物の色をシミュレーションすることが可能となる。
【００３２】
図２は、印刷色予測装置１のハードウエアの構成例を示す図である。尚、図２のハードウエア構成は一例であり、用途、目的に応じて様々な構成を採ることが可能である。
【００３３】
印刷色予測装置１は、図２に示すように、例えば、バス２７を介して接続された制御部２１、記憶部２２、メディア入出力部２３、入力部２４、表示部２５、周辺機器Ｉ／Ｆ部２６等と、周辺機器Ｉ／Ｆ部２６を介して接続された測色計２８とによって構成される。
【００３４】
制御部２１は、ＣＰＵ（Central
Processing Unit）、ＲＯＭ（Read Only Memory）、ＲＡＭ（Random Access Memory）等により構成される。
ＣＰＵは、記憶部２２、ＲＯＭ、記憶媒体等に格納されるプログラムをＲＡＭ上のワークメモリ領域に呼び出して実行し、バス２７を介して接続された各装置を駆動制御し、印刷色予測装置１が行う後述の処理を実現する。ＲＯＭは、不揮発性メモリであり、コンピュータのブートプログラムやＢＩＯＳ等のプログラム、データ等を恒久的に保持する。ＲＡＭは、揮発性メモリであり、ロードしたプログラムや、データ等を一時的に保持すると共に、制御部２１が各処理を行うために使用するワークエリアを備える。
【００３５】
記憶部２２は、ＨＤＤ（Hard
Disk Drive）等であり、制御部２１が実行するプログラムや、プログラム実行に必要なデータ、ＯＳ（Operating
System）等が格納されている。これらのプログラムコードは、制御部２１により必要に応じて読み出されてＲＡＭに移され、ＣＰＵに読み出されて実行される。
【００３６】
メディア入出力部２３は、例えば、ＣＤドライブ、ＤＶＤドライブ、ＭＯドライブ、フロッピー（登録商標）ディスクドライブ、等のメディア入出力装置であり、画像等のデータの入出力を行う。
【００３７】
入力部２４は、データや各種パラメータ等の入力を行い、例えば、キーボード、マウスなどのポインティングデバイス、テンキーなどの入力装置を有する。入力されたデータを制御部２１へ出力する。
【００３８】
表示部２５は、例えば、ＣＲＴモニタ、液晶パネル等のディスプレイ装置と、ディスプレイ装置と連携して表示処理を実行するための論理回路（ビデオカード等）で構成され、制御部２１の制御により入力された表示情報をディスプレイ装置上に表示させる。
【００３９】
周辺機器Ｉ／Ｆ部（インターフェース）２６は、測色計２８、印刷機２、レーザー熱転写型プリンタ３、インクジェットプリンタ４等の周辺機器を接続させるためのポートであり、周辺機器Ｉ／Ｆ部２６を介してコンピュータは周辺機器とのデータの送受信を行う。周辺機器Ｉ／Ｆ部２６は、ＵＳＢやＩＥＥＥ１３９４やＲＳ−２３２Ｃ等で構成されており、通常複数の周辺機器Ｉ／Ｆを有する。周辺機器との接続形態は、有線、無線を問わない。
【００４０】
バス２７は、各装置間の制御信号、データ信号等の授受を媒介する経路である。
【００４１】
測色計２８とは、カラーチャート６、７、８、の各色パッチの分光反射率を測定する分光測色計等であり、取得した測色値を制御部２１へ出力する。
【００４２】
＜印刷色予測方法＞
続いて、図３〜図８を参照して、本実施形態に係る印刷色予測方法について説明する。まず図１と図３を用いて、印刷機２とレーザー熱転写型プリンタ３のプロファイル作成処理について説明する。
【００４３】
図３は、印刷機２とレーザー熱転写型プリンタ３のプロファイル作成処理の一例を示すフローチャートである。
印刷色予測装置１の制御部２１は、デバイス値（Ｃ１、Ｍ１、Ｙ１、Ｋ１）に基づいてカラーチャートデータを生成し（ステップＳ１０１）、印刷機２（レーザー熱転写型プリンタ３）に生成したデータを送信する（ステップＳ１０２）。
【００４４】
尚、印刷色予測装置１から印刷機２、レーザー熱転写型プリンタ３にデータを送信する方法としては、印刷色予測装置１の周辺機器Ｉ／Ｆ部３６を介して行う方法であっても良いし、互いに通信接続されたネットワーク（図示せず）を介して行う方法であっても良い。印刷色予測装置１で生成したデータを印刷機２、レーザー熱転写型プリンタ３に直接入力する方法であっても良い。
【００４５】
続いて、印刷機２はデータを受信して（ステップＳ１０３）、任意の印刷用紙にカラーチャート６を出力する（ステップＳ１０４）。また、レーザー熱転写型プリンタ３はデータを受信して（ステップＳ１０３）、受像フィルムに出力し、その受像フィルムを専用ラミネーター５において印刷機２にて用いた印刷用紙と同一銘柄の印刷用紙に熱転写して、カラーチャート７を作成する（ステップＳ１０４）。
【００４６】
印刷色予測装置１の制御部２１は、測色計２８を介して、カラーチャート６、７の各パッチの測色値を取得し（ステップＳ１０５）、デバイス値（Ｃ１、Ｍ１、Ｙ１、Ｋ１）とカラーチャート６の測色値（Ｌ*、ａ*、ｂ*）から印刷色プロファイルを生成し、デバイス値（Ｃ１、Ｍ１、Ｙ１、Ｋ１）とカラーチャート７の測色値（Ｌ*１、ａ*１、ｂ*１）から第１プリンタプロファイルを生成して記憶部２２に記憶し（ステップＳ１０６）、処理を終了する。
【００４７】
以上のように、印刷機２とレーザー熱転写型プリンタ３のプロファイル作成処理によって、印刷色予測装置１は、印刷機２の印刷色プロファイルとレーザー熱転写型プリンタ３の第１プリンタプロファイルを作成することができる。これにより、印刷機２の印刷物の色をレーザー熱転写型プリンタ３にて予測することが可能となる。また、次に説明するようにレーザー熱転写型プリンタ３のプリント物の色は、インクジェットプリンタ４にて予測することが可能となる。このようにインクジェットプリンタ４に入力するデバイス値を２段階で変換して本機印刷物の色を予測することで、安価なＤＤＣＰにて精度良く色再現することが可能となる。
【００４８】
続いて、図４〜図６を用いて、第１プリンタプロファイル及び第２プリンタプロファイル作成処理について説明する。図４は、第１プリンタプロファイル作成処理及び第２プリンタプロファイル作成処理におけるデータの流れを説明する図である。
【００４９】
図４に示すように、印刷色予測装置１のカラーデータ生成部１１は、印刷色プロファイル及び第１プリンタプロファイルを用いて、印刷機２のデバイス値（Ｃ１、Ｍ１、Ｙ１、Ｋ１）を第１プリンタプロファイルのデバイス値（Ｃ２、Ｍ２、Ｙ２、Ｋ２）に変換してカラーチャートデータを生成し、レーザー熱転写型プリンタ３及びインクジェットプリンタ４に送信する。
【００５０】
レーザー熱転写型プリンタ３は、受信したデータを受像フィルムに出力し、その受像フィルムをラミネーター５にて複数種類の印刷用紙に熱転写して、複数のカラーチャート７ａ、７ｂ、７ｃ、７ｄを作成する。インクジェットプリンタ４は、受信したデータをインクジェット専用紙等に出力して、カラーチャート８を作成する。
【００５１】
印刷色予測装置１の測色部１２は、レーザー熱転写型プリンタ３を用いて作成されたカラーチャート７ａ、７ｂ、７ｃ、７ｄの測色値（Ｌ*１、ａ*１、ｂ*１）、（Ｌ*２、ａ*２、ｂ*２）、（Ｌ*３、ａ*３、ｂ*３）、（Ｌ*４、ａ*４、ｂ*４）と、インクジェットプリンタ４を用いて作成されたカラーチャート８の測色値（Ｌ*、ａ*、ｂ*）を取得する。
【００５２】
印刷色予測装置１のプロファイル生成部１３は、取得した測色値とデバイス値（Ｃ２、Ｍ２、Ｙ２、Ｋ２）に基づいて、レーザー熱転写型プリンタ３の紙種ごとの色変換特性を表す第１プリンタプロファイルと、インクジェットプリンタ４の色変換特性を表す第２プリンタプロファイルとを生成する。
【００５３】
印刷色予測装置１のカラーデータ生成部１１は、第１プリンタプロファイル及び第２プリンタプロファイルを用いて、レーザー熱転写型プリンタ３に入力されたデバイス値（Ｃ２、Ｍ２、Ｙ２、Ｋ２）をインクジェットプリンタ４において色予測するためのデバイス値に変換するための色変換機能も有する。
【００５４】
図５は、第１プリンタプロファイル作成処理の一例を示すフローチャートである。
印刷色予測装置１の制御部２１は、印刷機２のプロファイル作成処理（図３）にて生成した印刷色プロファイルを用いて、カラーチャートデータの各パッチのデバイス値（Ｃ１、Ｍ１、Ｙ１、Ｋ１）を測色値に変換する（ステップＳ２０１）。
【００５５】
印刷色予測装置１の制御部２１は、レーザー熱転写型プリンタ３のプロファイル作成処理（図３）にて生成した第１プリンタプロファイルを用いて、ステップＳ２０１にて変換された測色値に対応するデバイス値（Ｃ２、Ｍ２、Ｙ２、Ｋ２）を算出する（ステップＳ２０２）。
【００５６】
尚、ステップＳ２０１及びステップＳ２０２の処理に代えて、印刷色予測装置１の制御部２１は、印刷色プロファイルと第１プリンタプロファイルとを１つのプロファイルに合成して（デバイスリンクプロファイル）、印刷機２に依存するデバイス値（Ｃ１、Ｍ１、Ｙ１、Ｋ１）をレーザー熱転写型プリンタ３に依存するデバイス値（Ｃ２、Ｍ２、Ｙ２、Ｋ２）に直接変換しても良い。
【００５７】
印刷色予測装置１の制御部２２は、デバイス値（Ｃ２、Ｍ２、Ｙ２、Ｋ２）に基づいてカラーチャートデータを生成し（ステップＳ２０３）、レーザー熱転写型プリンタ３に生成したデータを送信する（ステップＳ２０４）。
【００５８】
レーザー熱転写型プリンタ３はデータを受信し（ステップＳ２０５）、受像フィルムに出力する（ステップＳ２０６）。レーザー熱転写型プリンタ３は、その受像フィルムを専用ラミネーター５において、複数種類の印刷用紙に熱転写して、カラーチャート７ａ、７ｂ、７ｃ、７ｄを作成する（ステップＳ２０７）。
【００５９】
印刷色予測装置１の制御部２１は、測色計２８を介して、複数の異なる印刷用紙に出力されたカラーチャート７ａ、７ｂ、７ｃ、７ｄの各パッチの測色値を取得し（ステップＳ２０８）、デバイス値（Ｃ２、Ｍ２、Ｙ２、Ｋ２）とカラーチャート７ａ、７ｂ、７ｃ、７ｄの測色値（Ｌ*１、ａ*１、ｂ*１）、（Ｌ*２、ａ*２、ｂ*２）、（Ｌ*３、ａ*３、ｂ*３）、（Ｌ*４、ａ*４、ｂ*４）から印刷用紙の種類に対応した第１プリンタプロファイルを生成して記憶部２２に記憶し（ステップＳ２０９）、処理を終了する。
【００６０】
図６は、第２プリンタプロファイル作成処理の一例を示すフローチャートである。
印刷色予測装置１の制御部２１は、第１プリンタプロファイル作成処理のステップＳ２０３にて生成したカラーチャートデータをインクジェットプリンタ４に送信する（ステップＳ３０１）。
【００６１】
インクジェットプリンタ４はデータを受信し（ステップＳ３０２）、インクジェット専用紙にカラーチャート８を出力する（ステップＳ３０３）。
【００６２】
印刷色予測装置１の制御部２１は、測色計２８を介して、出力されたカラーチャート８の各パッチの測色値を取得し（ステップＳ３０４）、デバイス値（Ｃ２、Ｍ２、Ｙ２、Ｋ２）とカラーチャート８の測色値（Ｌ*、ａ*、ｂ*）から第２プリンタプロファイルを生成して記憶部２２に記憶し（ステップＳ３０５）、処理を終了する。
【００６３】
以上のように、第１プリンタプロファイル作成処理及び第２プリンタプロファイル作成処理によって、印刷色予測装置１は、印刷用紙の種類に対応したレーザー熱転写型プリンタ３の複数の第１プリンタプロファイルとインクジェットプリンタ４の第２プリンタプロファイルを作成することができる。これにより、レーザー熱転写型プリンタ３の色をインクジェットプリンタ４にて予測することが可能となる。第１プリンタプロファイル作成処理（図５）のステップＳ２０７にて、熱転写する印刷用紙を次々に変更することで、印刷機２において印刷用紙を次々に変更して印刷した場合の印刷物の色をシミュレーションすることができる。即ち、印刷用紙に直接プリントでき、且つ、本機印刷物に近い画質のプリント物を出力可能なレーザー熱転写型プリンタ４を印刷機２に見立て、本機印刷を実施するより短時間、且つ、簡便に本機印刷にて印刷用紙が変更になった場合の印刷物の色を再現することができる。また、実際の色調調整には、インクジェット等のランニングコストが低いＤＤＣＰを使用することで、更に安価に本機印刷物の色をシミュレーションすることができる。
【００６４】
次に、図７を用いて、プルーフ出力処理について説明する。図７は、プルーフ出力処理の一例を示すフローチャートのである。
【００６５】
印刷色予測装置１の制御部２１は、印刷機２にて印刷する画像データを受け付け、図３にて作成した印刷色プロファイル及び第１プリンタプロファイルを用いて、各画素のデバイス値（Ｃ１、Ｍ１、Ｙ１、Ｋ１）をレーザー熱転写型プリンタ３に依存するデバイス値（Ｃ２、Ｍ２、Ｙ２、Ｋ２）に変換した画像データを取得する（ステップＳ４０１）。
【００６６】
印刷色予測装置１の制御部２１は、印刷機２にて印刷する印刷用紙の選択を受け付け、印刷用紙の種類に対応する第１プリンタプロファイルを記憶部２２から抽出する（ステップＳ４０２）。
【００６７】
印刷色予測装置１の制御部２１は、ステップＳ４０２にて抽出した第１プリンタプロファイルを用いて、画像データの各画素のデバイス値（Ｃ２、Ｍ２、Ｙ２、Ｋ２）を測色値に変換する（ステップＳ４０３）。
【００６８】
印刷色予測装置１の制御部２１は、第２プリンタプロファイルを用いて、ステップＳ４０３にて変換された測色値に対応するデバイス値（Ｃ３、Ｍ３、Ｙ３、Ｋ３）を算出する（ステップＳ４０４）。
【００６９】
印刷色予測装置１の制御部２１は、画像データの各画素をインクジェットプリンタ４に依存するデバイス値（Ｃ３、Ｍ３、Ｙ３、Ｋ３）に変換した画像データを生成して、インクジェットプリンタ４に送信する（ステップＳ４０５）。
【００７０】
インクジェットプリンタ４は、画像データを受信して（ステップＳ４０６）、画像データを第２プリンタプロファイル生成処理（図６）で用いたインクジェット専用紙に出力して（ステップＳ４０７）、処理を終了する。
【００７１】
以上のように、予め複数種類の印刷用紙において第１プリンタプロファイルを生成することで、印刷機２にて用いる印刷用紙が変更になった場合においても、簡便に高品質なプルーフを作成することができる。
【００７２】
続いて、印刷機の色基準が変更し、更に印刷用紙が変更された場合にインクジェットプリンタ４にてプルーフを出力する処理について、図８を参照して説明する。図８は、色基準変更時のプルーフ出力処理の一例を示すフローチャートである。
【００７３】
図８に説明するプルーフ出力処理を実行する前に、予め新たな色基準によって印刷機２を色調調整した上で、印刷色予測システム１００は、印刷機２とレーザー熱転写型プリンタ３のプロファイル作成処理（図３）を実行して、新たな印刷色プロファイル及び新たな第１プリンタプロファイルを生成する。この時、印刷機２によるカラーチャート６、及びレーザー熱転写型プリンタ３のカラーチャート７を出力した印刷用紙を基準紙とする。
【００７４】
印刷色予測装置１の制御部２１は、印刷機２にて印刷する画像データを受け付け（ステップＳ５０１）、新たな色基準にて生成した第１プリンタプロファイルを取得する（ステップＳ５０２）。
【００７５】
印刷色予測装置１の制御部２１は、印刷機２にて印刷する印刷用紙の選択を受け付け、記憶部２２から従来の色基準にて生成した第１プリンタプロファイルのうち、選択された印刷用紙（以下、選択紙と表記）に対応する第１プリンタプロファイルと、基準紙に対応する第１プリンタプロファイルを抽出する（ステップＳ５０３）。
【００７６】
印刷色予測装置１の制御部２１は、ステップＳ５０３にて抽出した２つのプロファイルから、次式に示すように従来の色基準における選択紙の測色値と基準紙の測色値の差分値を算出する（ステップＳ５０４）。
【００７７】
【数１】
2015154384.tif 000003
【００７８】
印刷色予測装置１の制御部２１は、次式に示すようにステップＳ５０４にて算出した差分値を、新しい色基準における基準紙の測色値に加算することで、新しい色基準における選択紙の測色値を取得し、新しい色基準における選択紙の第１プリンタプロファイルを生成する（ステップＳ５０５）。
【００７９】
【数２】
2015154384.tif 000004
【００８０】
印刷色予測装置１の制御部２１は、ステップＳ５０１にて受け付けた画像データの各画素値を、新たな色基準にて作成した印刷色プロファイル及び第１プリンタプロファイルを用いて変換した画像データを取得し、ステップＳ５０５にて生成した第１プリンタプロファイルを用いて、画像データの各画素のデバイス値を測色値に変換する（ステップＳ５０６）。
【００８１】
印刷色予測装置１の制御部２１は、第２プリンタプロファイルを用いて、ステップＳ５０６にて変換された測色値に対応するデバイス値を算出する（ステップＳ５０７）。
【００８２】
印刷色予測装置１の制御部２１は、画像データの各画素をインクジェットプリンタ４に依存したデバイス値に変換した画像データを生成して、インクジェットプリンタ４に送信する（ステップＳ５０８）。
【００８３】
インクジェットプリンタ４は、画像データを受信して（ステップＳ５０９）、画像データを第２プリンタプロファイル生成処理で用いたインクジェット専用紙に出力して（ステップＳ５１０）、処理を終了する。
【００８４】
以上のように、印刷機の色基準が変更になった場合にも、新しい色基準で複数の印刷用紙に印刷する必要は無く、新しい色基準に色調調整されたレーザー熱転写型プリンタにて基準紙の第1プリンタプロファイルを取得すれば、従来の色基準にて生成された第１プリンタプロファイルに基づいて、新しい色基準で印刷用紙が変更になった場合のマッチング目標値を取得して、印刷物の色をシミュレーションすることができる。
【００８５】
尚、本実施形態では、図３に示す処理にて生成した印刷色プロファイルに基づいて、予めレーザー熱転写型プリンタ３の色調を調整することとしたが、印刷色プロファイルによる色調調整を実行せず、印刷機２にて色調調整された際に用いた色基準のＩＣＣプロファイルとその標準紙を用いて予め色調調整するだけであっても良い。その場合、図５のステップＳ２０１及びＳ２０２にて印刷予測装置１の制御部２１が実行する、印刷機２に依存するデバイス値（Ｃ１、Ｍ１、Ｙ１、Ｋ１）をレーザー熱転写型プリンタ３に依存するデバイス値（Ｃ２、Ｍ２、Ｙ２、Ｋ２）に変換する処理は不要となる。
【００８６】
以上、添付図面を参照しながら、本発明に係る印刷色予測システム１００等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００８７】
１００……印刷色予測システム
１…………印刷色予測装置
２…………印刷機
３…………レーザー熱転写型プリンタ
４…………インクジェットプリンタ
５…………専用ラミネーター
６、７、８…………カラーチャート
９…………プルーフ
１１…………カラーデータ生成部
１２…………測色部
１３…………プロファイル生成部
２１………制御部
２２………記憶部
２３………メディア入出力部
２４………入力部
２５………表示部
２６………周辺機器Ｉ／Ｆ部
２８………測色計
【図１】
2015154384.tif 000005
【図２】
2015154384.tif 000006
【図３】
2015154384.tif 000007
【図４】
2015154384.tif 000008
【図５】
2015154384.tif 000009
【図６】
2015154384.tif 000010
【図７】
2015154384.tif 000011
【図８】
2015154384.tif 000012